【事件の表示】
　特願２０１２−　６９２４２「電子機器」拒絶査定不服審判事件〔平成２５年１０月　３日出願公開、特開２０１３−２００７５８〕について、次のとおり審決する。
【結　論】
　本件審判の請求は、成り立たない。
【理　由】
１．手続の経緯
　本願は、平成２４年３月２６日を出願日とする出願であって、平成２７年７月１３日付けで拒絶理由が通知され、同年９月２４日付けで手続補正がなされたが、平成２８年２月２４日付けで拒絶の査定がなされ、これに対し、同年５月３１日に拒絶査定不服審判の請求がなされたものである。
２．本願発明
　本願の請求項１に係る発明（以下、「本願発明」という。）は、平成２７年９月２４日付けの手続補正で補正された特許請求の範囲の請求項１に記載された事項により特定される以下のとおりのものである。
「接触を検出するタッチパネルと、
　前記タッチパネルに対する押圧に基づくデータに基づき所定の処理を行う制御部と、を備え、
　前記制御部は、前記タッチパネルにより検出される接触の位置に応じて、当該制御部により処理可能な範囲を超えないように、前記押圧に基づくデータを増幅することを特徴とする電子機器。」
３．引用文献及び引用発明
　原査定の拒絶の理由に引用された特開２０１２−１４３４０号公報（以下、「引用文献」という。）には、ア〜カのとおりの記載がある。下線は、注目箇所に当審が付した。
ア．
「【請求項１】
　
タッチ入力を検出するタッチセンサのタッチ面に対して、押圧対象が同一の力で押圧しても、押圧位置に応じて異なる押圧荷重を検出する荷重検出部を備える触感呈示装置であって、
　前記タッチセンサのタッチ面を押圧している押圧対象に対して触感を呈示する触感呈示部と、
　前記触感を呈示されるべき一律の力で、前記タッチ面の触感を呈示するどの位置を前記押圧対象が押圧しても、前記触感呈示部が前記押圧対象に対して前記触感を呈示するように、前記タッチ面上の位置に応じたサイズのエリア毎に設定された調整情報に基づき、前記タッチ面の押圧位置に応じた制御をする制御部と、
　を備える触感呈示装置。
【請求項２】
　前記調整情報が設定されるエリアは前記荷重検出部の位置に応じて分割されている、請求項１に記載の触感呈示装置。
【請求項３】
　
前記制御部は、前記荷重検出部により検出される押圧荷重を前記押圧位置に応じて調整し、該調整した押圧荷重が触感を呈示する基準を満たした際に、前記タッチ面を押圧している前記押圧対象に対して触感を呈示するように前記触感呈示部を制御する
イ．
「【背景技術】
【０００２】
  近年、
携帯電話やゲーム機等の携帯端末、電卓、券売機等の情報機器、電子レンジ、テレビ、照明器具等の家電製品、産業用機器（ＦＡ機器）等には、ユーザによる入力操作を受け付ける操作部やスイッチ等の入力装置として、タッチパネルやタッチスイッチ等のタッチセンサを備える入力装置
ウ．
「【００１１】
　このような不都合を解決するため、本出願人は、
タッチセンサのタッチ面に対するタッチによる押圧荷重を検出し、その検出荷重が触感を呈示する所定の閾値に達した際に、タッチセンサのタッチ面を振動させて指等の押圧対象に触感を呈示するようにした触感呈示装置
【００１２】
　
この触感呈示装置によれば、操作者がタッチ面をプッシュし、その押圧荷重が所定の閾値に達すると触感が呈示されるので、上述した意図しないタッチによる誤操作を誘発したり、違和感を与えたりするのを確実に防止して、操作者に対して入力が受け付けられたのを触感として認識させることができる。
【００１３】
　また、上記特許文献３に開示の技術は、タッチセンサのタッチ面に対して、ユーザの指等の押圧対象が同一の力で押圧しても、触感呈示装置が検出する押圧荷重は、押圧位置に応じて異なる値になるということを考慮していない。本発明者は、ユーザからの押圧力と、触感呈示装置により検出される押圧荷重のタッチ面の位置による変化について鋭意検討を進めた結果、以下に説明する知見を見出した。図７及び図８は、ユーザがタッチセンサのタッチ面の各位置をそれぞれ一律の力で押圧した場合の、押圧荷重（電圧）の値の分布の一例を示す図である。図７及び図８を参照すると、ユーザがタッチ面の各位置を一律の力（例えば１．０N）で押圧しても、荷重検出部が検出する値（例えば荷重（N）に対応する電圧（Ｖ）。なお、本例においては４つの荷重検出部の合計値とする。）は、タッチ面上の押圧位置に応じて異なる値となる。図７の場合、タッチパネルを縦３分割横３分割した９個のエリア１〜９に関し、エリア１、３、７および９を含むエリア群Ａ、エリア２、４、６および８を含むエリア群Ｂ、並びに、エリア５を含むエリア群Ｃにおいて、荷重検出部が検出する値は、それぞれ、１．０Ｖ、１．５Ｖおよび２．０Ｖとなる。また、図８の場合、タッチパネルを縦４分割横３分割した１２個のエリア１〜１２に関し、エリア２、７および９を含むエリア群Ａ、エリア１、３、４、６および１０〜１２を含むエリア群Ｂ、並びに、エリア５および８を含むエリア群Ｃにおいて、荷重検出部が検出する値は、それぞれ、１．０Ｖ、１．５Ｖおよび２．０Ｖとなる。
タッチ面上の位置によって検出される押圧荷重の値が異なる原因としては、荷重検出部との距離や、タッチセンサを構成する部材の弾性率など様々な要因が考えられるが、このような検出される押圧荷重の値の違いは、触感呈示装置がユーザに触感を呈示するかどうかの判断に大きな影響を与える。仮に、触感呈示装置が、所定の荷重基準（例えば１．５Ｖ）によって触感を呈示するか否かを判断するものとする。この場合、ユーザが所定の押圧力（１Ｎ）で図７及び８の各エリアに入力を行うと、エリア群ＢおよびＣにおいては触感呈示装置から触感が呈示されるが、エリアＡからは触感が呈示されないという事態が起こり得る。換言すると、ユーザは、エリアＡに対しては本来触感が呈示されるべき力に比べて強い力（例えば１．５Ｎ）で入力を行う必要がある反面、エリアＣに対しては本来触感が呈示されるべき力に比べて弱い力（例えば０．７５Ｎ）で入力を行った場合に触感が呈示されてしまう
【００１４】
　特許文献３に開示の技術は、上述の通りタッチセンサのタッチ面に対して、ユーザの指等の押圧対象が同一の力で押圧しても、触感呈示装置が受ける押圧荷重は、押圧位置に応じて異なる値になるということを考慮しない。このため、
ユーザが触感を呈示されるべき一律の押圧力でタッチ面に入力を行っても、触感呈示装置が検出する押圧荷重の値はタッチ面の位置毎に異なる。そのため、触感呈示装置は、ある位置では触感を呈示する押圧荷重を下回る値を検出し、他の場所では触感を呈示する押圧荷重以上の値を検出することになる。このため、ユーザがタッチ面に対して触感を呈示されるべき一律の押圧力で入力を行っても、触感呈示装置から触感が呈示されるかどうかは入力位置毎に異なることになる。即ち、ユーザは、触感を呈示されるべき一律の押圧力で入力を行っても触感が呈示されない場合には、さらに強い押圧力で入力を行わなくてはならず、また、触感を呈示されるべき一律の押圧力より低い押圧力で入力を行った場合など意図しないタイミングで触感が呈示される場合があるなど、操作時の違和感が増大する。ユーザの操作感を向上させるためには、ユーザから触感を呈示されるべき一律の押圧力を受けた場合に、ユーザの入力の位置に係わらず、触感を呈示することが好ましい。
【００１５】
　
本発明は、このような要望に応えるべくなされたもので、ユーザから触感を呈示されるべき一律の押圧力を受けた場合に、ユーザの入力の位置に係わらず、触感を呈示することが可能な触感呈示装置を提供することを目的とする
エ．
「【発明の効果】
【００２８】
　
本発明に係る触感呈示装置によれば、ユーザから触感を呈示されるべき一律の押圧力を受けた場合に、ユーザの入力の位置に係わらず、触感を呈示することが可能となる。
オ．
「【発明を実施するための形態】
【００３０】
　以下、本発明に係る触感呈示装置の実施の形態について、図を参照して説明する。なお、以下の説明においては、ユーザが触感呈示装置を押圧する力を「押圧力」、当該押圧力を触感呈示装置によって検出した値を「押圧荷重」、さらに、当該「押圧荷重」に対して触感呈示装置が触感を呈示するかどうかを判断する閾値を「荷重基準」と称するものとする。
【００３１】
（第１実施の形態）
　図１は、本発明の第１実施の形態に係る触感呈示装置の機能ブロック図である。この触感呈示装置は、タッチセンサ１１、荷重検出部１２、触感呈示部１３、表示部１４、記憶部１５、および、全体の動作を制御する制御部１６を有する。
【００３２】
　タッチセンサ１１は、そのタッチ面に対する指などのタッチ対象によるタッチ入力を検出するもので、抵抗膜方式、静電容量方式、光学式等のタッチ位置（指等の押圧対象の押圧位置）の二次元の位置情報を出力する公知のもので構成して、表示部１４上に配置する。荷重検出部１２は、タッチセンサ１１のタッチ面に対する指等の押圧対象の押圧荷重を検出するもので、例えば、歪みゲージセンサや圧電素子等の荷重に対してリニアに反応する素子を用いて構成する。触感呈示部１３は、タッチセンサ１１を振動させるもので、例えば、圧電素子を用いて構成する。
【００３３】
　表示部１４は、押しボタンスイッチ（プッシュ式ボタンスイッチ）のような入力ボタン等の入力用オブジェクトを表示するもので、例えば、液晶表示パネルや有機ＥＬ表示パネル等を用いて構成する。この表示部１４に表示された入力用オブジェクトに対するタッチ入力は、タッチセンサ１１から出力される位置情報に基づいて制御部１６により検出される。記憶部１５は、触感呈示部１３の駆動信号情報、および押圧対象の押圧位置に応じて触感呈示に関する調整を行うための荷重調整情報等の各種情報を記憶するもので、例えば、揮発性又は不揮発性メモリ等を用いて構成する。制御部１６は、例えばＣＰＵ等からなり、タッチセンサ１１からの押圧対象の押圧位置情報、荷重検出部１２からの押圧荷重情報、並びに、記憶部１５が記憶する荷重調整情報に基づいて、触感を呈示するかどうかを判断する。また、制御部１５は、触感を呈示する場合には記憶部１５が記憶する駆動信号情報に基づいて触感呈示部１３の駆動を制御する。
【００３４】
　記憶部１５が記憶する触感呈示部１３の駆動信号情報は、ユーザに呈示する触感毎に、タッチ面を振動させる周波数および振動周期の数など種々の情報を含むものである。制御部１６は、記憶部１５の駆動信号情報に基づき、触感呈示部１３の駆動を制御して、例えば、指等の押圧対象に対して、「ブル」と感じる触感や、「ブブ」と感じる触感や、「カツ」と感じる触感など、様々な触感を呈示することができる。ここで、触感呈示部１３が圧電素子を用いて構成されている場合、制御部１６は、「ブル」や「ブブ」と感じられる軟質的な触感を呈示する場合、２００Ｈｚ〜５００Ｈｚ程度の三角波信号や正弦波信号を２〜３周期分を駆動信号として圧電素子に印加する。また、「カツ」と感じられる硬質な触感を呈示する場合は、制御部１６は、２００Ｈｚ〜５００Ｈｚ程度の矩形波信号を２〜３周期分を駆動信号として圧電素子に印加する。
【００３５】
　また、制御部１６は、触感呈示部１３の駆動を制御して、ユーザの操作感をさらに高めるため、指等の押圧対象に対して、「カチ」と感じるクリック触感を呈示することができる。制御部１６は、硬い押しボタンスイッチを押したような「カチ」と感じられるクリック触感を呈示する場合は、駆動信号として、１００Ｈｚ〜２００Ｈｚ程度の正弦波信号または矩形波信号を１周期分印加する。「カチ」と感じるクリック触感の場合、表示部１４に表示されたソフトウェア的な入力用オブジェクトに対する入力でも、ユーザは、ハードウェア的なボタンスイッチを押したような触感を得ることができるため、ユーザが体感する操作感は向上することになる。
【００３６】
　記憶部１５が記憶する押圧対象の押圧位置に応じて触感呈示に関する調整を行うための荷重調整情報は、荷重検出部１２からの押圧荷重を調整する押圧荷重調整情報や、触感を呈示するかどうかの閾値である荷重基準を調整する荷重基準調整情報や、荷重基準自体の情報など、種々の情報を含むものである。
【００３７】
（押圧荷重調整情報）
　例えば、図７及び図８は、ユーザからの触感を呈示されるべき一律の押圧力に対して、タッチ面の各エリアにおいて荷重検出部が検出する押圧荷重の値（電圧）の例を示す図である。このように、タッチセンサ１１のタッチ面上での位置と、荷重検出部１２が検出する押圧荷重の値との関係を予め測定（キャリブレーション）しておき、製品出荷時などに、テーブルやリストとして記憶部１５に記憶することが考えられる。例えば、タッチセンサ１１のタッチ面を縦ｍ分割、横ｎ分割のｍ´ｎ個のエリアに分割し、エリア毎にユーザからの押圧力と検出される押圧荷重の値との関係を記憶部１５に記憶させることができる。より具体的には、第１のエリア（例えば図７及び８のエリア群Ｂ）への入力に対する押圧荷重の調整値として第１の値（例えば１．０倍）、第２のエリア（例えば図７及び８のエリア群Ｃ）への入力に対する押圧荷重の調整値として第２の閾値（例えば０．７５倍）、第３のエリア（例えば図７及び８のエリア群Ａ）への入力に対する押圧荷重の調整値として第３の閾値（例えば１．５倍）など、エリアごとに異なる押圧荷重の調整値を記憶部１５に記憶させることができる。このような押圧荷重調整情報により、制御部１６は、押圧対象（押圧物）の押圧位置に応じて、検出された押圧荷重の値を調整することができる。例えば、ユーザからの触感を呈示されるべき一律の押圧力が１Ｎであり、触感を呈示する荷重基準が１．５Ｖであるとする。制御部１６は、第１のエリア（例えば図７及び８のエリア群Ｂ）への入力の押圧荷重はそのまま（１．０倍して）荷重基準と比較し、第２のエリア（例えば図７及び８のエリア群Ｂ（審決注：「エリア群Ｂ」は、「エリア群Ｃ」の誤記である。））への入力の押圧荷重は０．７５倍して荷重基準と比較し、第３のエリア（例えば図７及び８のエリア群Ａ）への入力の押圧荷重は１．５倍して荷重基準と比較するなど、エリアごとに異なる値で押圧荷重を調整することができる。これにより、ユーザから触感を呈示されるべき一律の押圧力（１Ｎ）があった場合に、タッチ面上の各位置における押圧荷重の値が調整されて同じ値となり、制御部１６は、各位置に対して共通の１つの荷重基準（１．５Ｖ）によって触感を呈示するか否かを判断することができる。
カ．
「【００５０】
　また、筐体２１には、表示部１４の表示領域から外れたタッチセンサ１１の表面領域を覆うようにアッパカバー２３を設け、このアッパカバー２３とタッチセンサ１１との間に、弾性部材からなるインシュレータ２４を配設する。
【００５１】
　なお、図２に示すタッチセンサ１１は、タッチ面１１ａを有する表面部材が、例えば透明フィルムやガラスで構成され、裏面部材がガラスやアクリルで構成されて、タッチ面１１ａが押圧されると、押圧部分が押圧力に応じて微少量撓む（歪む）、または構造体そのものが微少量撓む構造のものを用いる。
【００５２】
　タッチセンサ１１の表面上には、アッパカバー２３で覆われる各辺の近傍に、タッチセンサ１１に加わる荷重（押圧力）を検出する歪みゲージセンサや圧電素子からなる荷重センサ３１をそれぞれ接着等により設ける。また、タッチセンサ１１の裏面上には、対向する２つの辺の近傍に、タッチセンサ１１を振動させるための圧電素子３２をそれぞれ接着等により設ける。すなわち、図２に示す触感呈示装置は、図１に示した荷重検出部１２を４つの荷重センサ３１を用いて構成し、触感呈示部１３を２つの圧電素子３２を用いて構成している。そして、触感呈示部１３によりタッチセンサ１１を振動させることにより、タッチ面１１ａを振動させて、タッチ面１１ａ上のタッチ対象に触感を呈示するようにしている。なお、図２（ｂ）においては、図２（ａ）に示した筐体２１、アッパカバー２３およびインシュレータ２４の図示を省略している。
【００５３】
　本実施の形態に係る
触感呈示装置においては、タッチセンサ１１は、タッチ面１１ａへのタッチ操作を検出する。そして、制御部１６は、押圧対象の押圧位置に応じて荷重調整処理を行い、荷重検出部１２により検出される押圧荷重が触感を呈示する荷重基準を満たすかどうか判定する。そして、押圧荷重が触感を呈示する荷重基準を満たすと判定した場合は、制御部１６は、タッチ面１１ａを押圧している押圧対象に対して触感を呈示するように、触感呈示部１３の駆動を制御する。
【００５４】
　以下、本実施の形態に係る触感呈示装置による通知情報の触感呈示動作について、図３に示すフローチャートを参照して説明する。
【００５５】
　先ず、
制御部１６は、タッチセンサ１１からの位置情報（押圧対象の押圧位置）の入力を検出して（ステップＳ１０１）、タッチ面１１ａに指等の押圧対象が接触したのを検出する（ステップＳ１０２）。次に、制御部１６は、記憶部１５を参照して押圧対象の押圧位置に応じた荷重調整情報を取得し（ステップＳ１０３）、荷重検出部１２から入力される押圧荷重が触感を呈示する荷重基準を満たすか否かを判定する（ステップＳ１０４）。例えば、制御部１６は、荷重検出部１２からの押圧荷重を調整する押圧荷重調整情報を用いて、押圧対象の押圧位置に応じて押圧荷重を調整し、該調整した押圧荷重が触感を呈示する荷重基準を満たすか否かを判定することができる。
【００５６】
　
本実施の形態に係る触感呈示装置によれば、制御部１６は、ユーザの指等の押圧対象の押圧位置に応じて、荷重検出部１２が検出する押圧荷重と触感を呈示する荷重基準に対して調整を行い、ユーザから触感を呈示されるべき一律の押圧力があった場合に、押圧荷重が荷重基準を満たすように制御する。これにより、ユーザから触感を呈示されるべき一律の押圧力を受けた場合に、タッチ面のどの位置をユーザが押圧しているかに係わらず、触感を呈示することが可能となり、ユーザの操作感を向上させることができる。換言すると、ユーザは触感呈示装置から触感を受けるために、触感が呈示されるべき押圧力より強い力で入力を行う必要はなく、また、触感が呈示されるべき押圧力より弱い力の入力に対して誤って触感が呈示されることもないため、ユーザが操作感時に感じる違和感をなくすことができる。
【００５７】
　
また、制御部１６は、荷重検出部１２により検出される押圧荷重を押圧対象の押圧位置に応じて調整することにより、ユーザから触感を呈示されるべき一律の押圧力を受けた場合に、タッチ面のどの位置をユーザが押圧しているかに係わらず、触感を呈示することが可能となり、ユーザの操作感を向上させることができる。
【００５８】
　また、制御部１６は、触感を呈示する荷重基準を押圧対象の押圧位置に応じて調整することにより、ユーザから触感を呈示されるべき一律の押圧力を受けた場合に、タッチ面のどの位置をユーザが押圧しているかに係わらず、触感を呈示することが可能となり、ユーザの操作感を向上させることができる。
【００５９】
　また、制御部１６は、押圧対象の押圧位置に応じて調整されている荷重基準を読み出して利用することにより、ユーザから触感を呈示されるべき一律の押圧力を受けた場合に、タッチ面のどの位置をユーザが押圧しているかに係わらず、触感を呈示することが可能と
なり、ユーザの操作感を向上させることができる。」
ａ．
　上記【請求項１】，【請求項３】の記載によれば、引用文献には、
「タッチ入力を検出するタッチセンサのタッチ面に対して、押圧対象が同一の力で押圧しても、押圧位置に応じて異なる押圧荷重を検出する荷重検出部を備える触感呈示装置であって、
　前記タッチセンサのタッチ面を押圧している押圧対象に対して触感を呈示する触感呈示部と、
　前記触感を呈示されるべき一律の力で、前記タッチ面の触感を呈示するどの位置を前記押圧対象が押圧しても、前記触感呈示部が前記押圧対象に対して前記触感を呈示するように、前記タッチ面上の位置に応じたサイズのエリア毎に設定された調整情報に基づき、前記タッチ面の押圧位置に応じた制御をする制御部と、を備え、
　前記制御部は、前記荷重検出部により検出される押圧荷重を前記押圧位置に応じて調整し、該調整した押圧荷重が触感を呈示する基準を満たした際に、前記タッチ面を押圧している前記押圧対象に対して触感を呈示するように前記触感呈示部を制御する、
触感呈示装置。」が記載されている。
ｂ．
　上記段落【０００２】，【００１５】の記載によれば、上記ａ．の「触感呈示装置」は、「タッチパネルやタッチスイッチ等のタッチセンサを備える入力装置を備えた、携帯電話やゲーム機等の携帯端末、電卓、券売機等の情報機器、電子レンジ、テレビ、照明器具等の家電製品、産業用機器（ＦＡ機器）」の「入力装置」に用いられるものである。
ｃ．
　上記ａ．の「タッチ面上の位置に応じたサイズのエリア毎に設定された調整情報」は、上記段落【００３７】の記載によれば、「タッチセンサ１１のタッチ面上での位置と、荷重検出部１２が検出する押圧荷重の値との関係を予め測定」することにより得られる情報であり、具体的には、第１のエリアについては第１の値（１．０倍）、第２のエリアについては第２の値（０．７５倍）、第３のエリアについては第３の値（１．５倍）のことであり、押圧荷重の値をそれぞれのタッチ面上でのエリアに応じて、第１の値（１．０倍）、第２の値（０．７５倍）、第３の値（１．５倍）している。
　また、上記ａ．の「押圧位置」は、上記段落【００５３】，【００５５】の記載によれば、「タッチセンサにより検出された押圧対象の押圧位置」のことである。
　よって、上記ａ．の「前記荷重検出部により検出される押圧荷重を前記押圧位置に応じて調整」することは、「前記荷重検出部により検出された押圧荷重の値を、タッチセンサにより検出された押圧対象の押圧位置に応じたエリアに設定された調整情報に基づいて調整値倍することにより調整」することである。
ｄ．
　したがって、上記ａ〜ｃによれば、引用文献には、
「タッチパネルやタッチスイッチ等のタッチセンサを備える入力装置を備えた、携帯電話やゲーム機等の携帯端末、電卓、券売機等の情報機器、電子レンジ、テレビ、照明器具等の家電製品、産業用機器（ＦＡ機器）であって、
前記入力装置には触感呈示装置を有し、
前記触感呈示装置は、
　タッチ入力を検出するタッチセンサのタッチ面に対して、押圧対象が同一の力で押圧しても、押圧位置に応じて異なる押圧荷重を検出する荷重検出部と、
　前記タッチセンサのタッチ面を押圧している押圧対象に対して触感を呈示する触感呈示部と、
　前記触感を呈示されるべき一律の力で、前記タッチ面の触感を呈示するどの位置を前記押圧対象が押圧しても、前記触感呈示部が前記押圧対象に対して前記触感を呈示するように、前記タッチ面上の位置に応じたサイズのエリア毎に設定された調整情報に基づき、前記タッチ面の押圧位置に応じた制御をする制御部と、を備え、
　前記制御部は、前記荷重検出部により検出された押圧荷重の値を、タッチセンサにより検出された押圧対象の押圧位置に応じたエリアに設定された調整情報に基づいて調整値倍することにより調整し、該調整した押圧荷重が触感を呈示する基準を満たした際に、前記タッチ面を押圧している前記押圧対象に対して触感を呈示するように前記触感呈示部を制御する、
　携帯電話やゲーム機等の携帯端末、電卓、券売機等の情報機器、電子レンジ、テレビ、照明器具等の家電製品、産業用機器（ＦＡ機器）。」の発明（以下、「引用発明」という。）が記載されている。
４．対比
　本願発明と引用発明とを対比する。
ア．
　引用発明の「携帯電話やゲーム機等の携帯端末、電卓、券売機等の情報機器、電子レンジ、テレビ、照明器具等の家電製品、産業用機器（ＦＡ機器）」は、本願発明と同様の「電子機器」といい得るものである。
イ．
　引用発明の「タッチ入力を検出する」、「タッチパネルやタッチスイッチ等のタッチセンサ」は、本願発明の「接触を検出するタッチパネル」に相当する。
ウ．
　引用発明の「荷重検出部」が検出する「タッチセンサのタッチ面に対して、押圧対象」が「押圧」する「押圧荷重」は、本願発明の「タッチパネルに対する押圧に基づくデータ」に相当する。
　また、引用発明において、「触感呈示部が前記押圧対象に対して前記触感を呈示するように」制御することは、「所定の処理」ということができる。
　よって、引用発明の「押圧荷重が触感を呈示する基準を満たした際に、前記タッチ面を押圧している前記押圧対象に対して触感を呈示するように前記触感呈示部を制御する」制御部は、本願発明の「タッチパネルに対する押圧に基づくデータに基づき所定の処理を行う制御部」に相当する。
エ．
　引用発明において、「押圧荷重の値を」「調整情報に基づいて調整値倍する」ことは、「押圧に基づくデータを増幅する」ともいうことができるから、引用発明の「前記制御部は、前記荷重検出部により検出された押圧荷重の値を、前記タッチセンサのタッチ面上での位置に応じたエリアに設定された調整情報に基づいて調整値倍することにより調整」することと、本願発明の「前記制御部は、前記タッチパネルにより検出される接触の位置に応じて、当該制御部により処理可能な範囲を超えないように、前記押圧に基づくデータを増幅すること」とは、いずれも、「前記制御部は、前記タッチパネルにより検出される接触の位置に応じて、前記押圧に基づくデータを増幅すること」である点で共通する。
　したがって、本願発明と引用発明とは、次の一致点、相違点を有する。
［一致点］
「接触を検出するタッチパネルと、
　前記タッチパネルに対する押圧に基づくデータに基づき所定の処理を行う制御部と、を備え、
　前記制御部は、前記タッチパネルにより検出される接触の位置に応じて、前記押圧に基づくデータを増幅することを特徴とする電子機器。」
［相違点］
　制御部による押圧に基づくデータの増幅が、本願発明では、「制御部により処理可能な範囲を超えないように」増幅するのに対し、引用発明では、そのような特定のない点。
５．当審の判断
（１）上記［相違点］について
　引用発明は、「ユーザが所定の押圧力（１Ｎ）で図７及び８のエリアに入力を行うと、・・・（中略）・・・ユーザは、エリアＡに対しては本来触感が呈示されるべき力に比べて強い力（例えば１．５Ｎ）で入力を行う必要がある反面、エリアＣに対しては本来触感が呈示されるべき力に比べて弱い力（例えば０．７５Ｎ）で入力を行った場合に触感が呈示されてしまう」（引用文献の段落【００１３】）問題を解決するためのものであり、タッチセンサのタッチ面上のどの位置においても、ユーザからの触感を呈示されるべき一律の押圧力が１Ｎのとき、触感を呈示する荷重基準が１．５Ｖとなるように、タッチセンサのタッチ面上の位置と、荷重検出部が検出する押圧荷重の値との関係を予め測定（キャリブレーション）しておくことにより、タッチ面上で各位置における押圧荷重の値が調整されて同じ値となり、制御部は、各位置に対して共通の１つの荷重基準（１．５Ｖ）によって触感を呈示するか判断し（引用文献の段落【００３７】）、「ユーザの入力位置に係わらず、触感を呈示することが可能」となる（引用文献の段落【００１５】，【００２８】）ものである。
　つまり、引用発明は、タッチセンサのタッチ面上のどの位置においても、押圧力が１Ｎ以上となると「触感呈示部」が触感を呈示するように、押圧力が１Ｎのときの、荷重検出部が検出する押圧荷重の調整後の値（電圧）を１．５Ｖにするものであるから、引用発明の「制御部」は、触感呈示という処理を実行する際に、押圧荷重の値をタッチセンサ上の全エリアで共通の荷重基準（１．５）で判断可能な範囲に調整しているということができる。
　そうすると、引用発明においても、「制御部による押圧に基づくデータ」は「制御部により処理可能な範囲を超えないように」増幅されているといえ、上記［相違点］は、実質的なものではない。
（２）本願発明の効果について
　本願発明の構成によってもたらされる効果は、引用文献の記載事項から当業者が予測し得る範囲を超えるものとはいえない。
６．むすび
　以上のとおり、本願発明は、引用発明に基づいて、当業者が容易に発明をすることができたものであるから、特許法第２９条第２項の規定により特許を受けることができない。
　したがって、本願は、拒絶されるべきものである。
　よって、結論のとおり審決する。